(57)【要約】【課題】伝動機構を介して回転部材に伝達される回転駆動手段の出力軸の回転ムラに起因する振動を低減して、画像の乱れや大きな騒音の発生を防止する。【解決手段】モータ１のケース２における出力軸１ａに対する軸対称部位に一方のブラケット３と他方のブラケット４をそれぞれ一体的に設けるとともに、一方のブラケット３に対向する一方のステー７および他方のブラケット４に対向する他方のステー８をフレームに一体的に設ける。そして、回転部材にベルト１０を介して伝達される出力軸１ａの回転ムラに起因する振動を低減するように、一方のブラケット３を弾性部材５を介在させて一方のステー７に取り付けるとともに、他方のブラケット４を弾性部材６を介在させて他方のステー８に取り付ける。【選択図】      図１
2004353754.tif 000002
【特許請求の範囲】
【請求項１】
フレームに回転自在に支持された回転部材と、回転駆動手段と、前記回転駆動手段の出力軸の回転を前記回転部材に伝動する伝動機構と、を備えた電子写真画像形成装置において、
前記回転駆動手段における前記出力軸に対する軸対称部位に一方のブラケットと他方のブラケットとをそれぞれ一体的に設けるとともに、前記一方のブラケットに対向する一方の支持部および前記他方のブラケットに対向する他方の支持部を前記フレームに一体的に設け、前記回転部材に前記伝動機構を介して伝達される前記出力軸の回転ムラに起因する振動を低減するように、前記一方のブラケットを弾性部材を介在させて前記一方の支持部に取り付けるとともに前記他方のブラケットを弾性部材を介在させて前記他方の支持部に取り付けたこと、を特徴とする電子写真画像形成装置における振動低減装置。
【発明の詳細な説明】
【０００１】
【発明の属する技術分野】
本発明は、電子写真画像形成装置において、画像の乱れや騒音の発生原因になる振動を低減するための、電子写真画像形成装置における振動低減装置に関するものである。
【０００２】
【従来の技術】
従来の電子写真画像形成装置の一例について説明する。図３に示すように、電子写真画像形成装置は、画像情報に対応したレーザ光を照射するスキャナユニット１００と、スキャナユニット１００により照射された画像情報に対応したトナー像を形成して紙等の記録媒体Ｐに転写するプロセスユニット１０２と、転写されたトナー像を記録媒体Ｐに定着させる定着ユニット１０３に加えて、記録媒体Ｐをプロセスユニット１０２に搬送する給紙ユニット１０４と、画像が形成された記録媒体Ｐを排出する排紙ユニット１０５等を備えている。
【０００３】
給紙ユニット１０４は、カセット１１０から記録媒体Ｐを一枚ずつ取り出してレジストローラ１１３へ搬送するための給紙ローラ１１１および搬送ローラ１１２を有し、排紙ユニット１０５は、画像が形成された記録媒体Ｐを排紙トレイ１１４へ搬送する排紙ローラ１１５、１１６を有している。
【０００４】
プロセスユニット１０２は、感光体ドラム１０６と、感光体ドラム１０６のまわりに回転方向に沿って順次配設された帯電ローラ１０７、現像ローラ１０８、転写ローラ１０９等を備え、感光体ドラム１０６上のトナー像をレジストローラ１１３を介して送られた記録媒体Ｐに転写する。そして、トナー像が転写された記録媒体Ｐは、定着ユニット１０３に送られて定着される。
【０００５】
上記各ユニットの各種ローラや感光体ドラム１０６等の回転部材は、図示しないモータにより回転駆動されるが、このモータのコギングや製造精度等に起因する振動が取付け板に伝達されて大きな騒音を発生することを防止するため、モータの基台と取付け板との間に除振ゴムを介在させて取り付けている（工業調査会編集部編「精密小形モータ活用技術」  昭和６１年７月３０日発行、Ｐ．２３５、Ｐ．２３９、Ｐ．２４０参照）。
【０００６】
【発明が解決しようとする課題】
しかしながら、上記従来の技術では、回転駆動手段であるモータの出力軸の回転ムラに起因する振動がベルト伝動機構等の伝動機構を介して回転部材に伝達されて回転部材が振動し、電子写真画像形成装置の出力である画像に乱れが生じたり、大きな騒音が発生するおそれがあるという未解決の課題があった。
【０００７】
本発明は、上記従来の技術の有する未解決の課題に鑑みてなされたものであって、伝動機構を介して回転部材に伝達される回転駆動手段の出力軸の回転ムラに起因する振動を低減して、画像の乱れや大きな騒音の発生を防止することができる、電子写真画像形成装置における振動低減装置を提供することを目的とするものである。
【０００８】
【課題を解決するための手段】
上記目的を達成するため、本発明の電子写真画像形成装置における振動低減装置は、フレームに回転自在に支持された回転部材と、回転駆動手段と、前記回転駆動手段の出力軸の回転を前記回転部材に伝動する伝動機構と、を備えた電子写真画像形成装置において、前記回転駆動手段における前記出力軸に対する軸対称部位に一方のブラケットと他方のブラケットとをそれぞれ一体的に設けるとともに、前記一方のブラケットに対向する一方の支持部および前記他方のブラケットに対向する他方の支持部を前記フレームに一体的に設け、前記回転部材に前記伝動機構を介して伝達される前記出力軸の回転ムラに起因する振動を低減するように、前記一方のブラケットを弾性部材を介在させて前記一方の支持部に取り付けるとともに前記他方のブラケットを弾性部材を介在させて前記他方の支持部に取り付けたこと、を特徴とする。
【０００９】
【発明の実施の形態】
本発明の実施の形態を図面に基づいて説明する。
【００１０】
図１は、一実施の形態による電子写真画像形成装置における振動低減装置の主要部を示し、（ａ）は模式正面図、（ｂ）は模式平面図である。本実施の形態による電子写真画像形成装置は、図示しないフレームに配設された回転駆動手段であるモータ１の出力軸１ａの回転運動を回転部材である感光体ドラムや各種ローラに伝動するための伝動機構として、ベルト伝動機構を用いたものである。
【００１１】
モータ１の出力軸１ａに一体的に設けられた駆動側プーリ９と、電子写真画像形成装置におけるフレームに回転自在に支持された回転部材に一体的に設けられた従動側プーリ（不図示）とには、ベルト１０がかけ回されており、出力軸１ａの矢印方向への回転に伴なってベルト１０が同方向へ回動して出力軸１ａの回転が回転部材へ伝動される。
【００１２】
モータ１は、コギングや製造精度等の電磁気的、機械的要因による出力軸１ａの回転ムラを有し、この出力軸１ａの回転ムラがベルト１０を介して回転部材に伝達されて回転部材が振動すると、画像の乱れや大きな騒音が発生する。
【００１３】
ところで、モータ１の出力軸１ａの回転ムラに起因する振動は、ベルト１０の引張り側にかかる張力の変動となって回転部材の回転軸に伝達される。そこで、本実施の形態においては、モータ１のケース２の外壁面における出力軸１ａに対する軸対称部位に一方のブラケット３と他方のブラケット４をそれぞれ一体的に設けるとともに、一方のブラケット３に対向する一方の支持部である一方のステー７および他方のブラケット４に対向する他方の支持部である他方のステー８をフレームに一体的に設ける。そして、回転部材にベルト１０を介して伝達されるモータ１の出力軸１ａの回転ムラに起因する振動を低減するように、一方のブラケット３を弾性部材５を介在させて一方のステー７に取り付けるとともに、他方のブラケット４を弾性部材６を介在させて他方のステー８に取り付ける。
【００１４】
なお、各ブラケットを弾性部材を介在させて各ステーに取り付けるには、接着剤を当接面に介在させて接着するとよい。
【００１５】
モータ１の出力軸１ａの回転ムラに起因して、ケース２とともに一方のブラケット３および他方のブラケット４が振動し、これに伴なって一方のステー７と一方のブラケット３との間に介在された弾性部材５および他方のステー８と他方のブラケット４との間に介在された弾性部材６が伸縮することにより、振動エネルギーが熱エネルギーに変換され、その結果、伝動機構を介して回転部材に伝達されるモータ１の出力軸１ａの回転ムラに起因する振動が低減される。
【００１６】
次に、変形例について説明する。本変形例は、図２に示すように、一方のブラケット３とその両側に配設された一対の一方のステー２７ａ、２７ｂとの間にそれぞれ弾性部材２５ａ、２５ｂが介在されているとともに、他方のブラケット４とその両側に配設された一対の他方のステー２８ａ、２８ｂとの間にそれぞれ弾性部材２６ａ、２６ｂが介在されている点が上述した一実施の形態と異なる。これ以外の部分は、上述した一実施の形態と同様でよいので、同一部分に同一符号を付し、説明は省略する。
【００１７】
なお、本発明において、モータ等の回転駆動手段の出力軸の回転運動を回転部材に伝動するための伝動機構としては、上述した一実施の形態におけるベルト伝動機構に限らず、ワイヤーロープ伝動機構、チェーン伝動機構、歯車列伝動機構等を用いることができる。
【００１８】
また、弾性部材としては、除振ゴム、除振エラストマー等からなる、面方向に対して剛性が高く、面に垂直方向に対しては除振性（弾力性）を有する板状体を用いるとよい。
【００１９】
【発明の効果】
本発明は上述のとおり構成されているので、次に記載するような効果を奏する。
【００２０】
伝動機構を介して回転部材に伝達されるモータの出力軸の回転ムラに起因する振動の振動エネルギーが、弾性部材が伸縮することで熱エネルギーに変換されて低減される。
【００２１】
その結果、画像に乱れが生じたり、大きな騒音が発生するおそれがない。
【図面の簡単な説明】
【図１】一実施の形態による電子写真画像形成装置における振動低減装置の主要部を示し、（ａ）は模式正面図、（ｂ）は模式平面図である。
【図２】変形例による電子写真画像形成装置における振動低減装置の主要部を示し、（ａ）は模式正面図、（ｂ）は模式平面図である。
【図３】従来の電子写真画像形成装置の一例を示す説明図である。
【符号の説明】
１    モータ
１ａ    出力軸
２    ケース
３    一方のブラケット
４    他方のブラケット
５、６、２５ａ、２５ｂ、２６ａ、２６ｂ    弾性部材
７、２７ａ、２７ｂ    一方のステー
８、２８ａ、２８ｂ    他方のステー
９    駆動側プーリ
１０    ベルト
【図１】
2004353754.tif 000003
【図２】
2004353754.tif 000004
【図３】
2004353754.tif 000005